(57)【特許請求の範囲】
【請求項１】
キャップ本体の上方に中栓キャップが上下方向に摺動可能に係着し、該中栓キャップの上方に前記キャップ本体と上端及び下端にヒンジをもつ接続板を介して接続する小蓋が開閉可能に冠着するプラスチック製の小蓋付キャップであって、前記キャップ本体は、天板上面の中央部に封止凸部を立設し、該封止凸部より外側の天板に流出孔を設け、該流出孔の外側隣接位置の天板上面に先端に係止摺動部をもつ摺接リングを立設し、該摺接リングより外側の天板下面に容器と係合する係合リングを垂設し、周壁外周の一側に前記接続板を下端のヒンジを介して接続し、前記中栓キャップは、天板の中央部に前記キャップ本体の封止凸部と対応する位置に注出口を設け、天板下面の前記キャップ本体の流出孔と対応する位置に封止摺動部を下端にもつ摺動リングを垂設し、周壁の一側に回転板収容凹部を設け、該回転板収容凹部の左右側面に対向する軸受け凹部をそれぞれに設け、該軸受け凹部の上方に小蓋を仮係止する嵌合突起を設け、前記小蓋は、天板下面の中央部に前記中栓キャップの注出口を封止する封止リングを設け、天板下面の周縁部の一側に下端の左右両側に前記前記中栓キャップの軸受け凹部に枢着する回転軸凸部をもつ回転軸板を垂設し、該回転軸板の後方の天板外周に前記接続板を上端のヒンジを介して接続したことを特徴とする小蓋付キャップ。
【発明の詳細な説明】
【０００１】
【発明の属する技術分野】
本発明は、内容物が液状物や粘性物の容器に使用する小蓋付キャップに関するものである。
【０００２】
【従来の技術】
従来、液状物や粘性物を内容物とする容器の口頸部に装着するキャップとしては、その使用時の使い易さから、スナップヒンジキャップやプッシュプルキャップが使用されていた。スナップヒンジキャップは、開口した小蓋の開口位置により自動的に開くか閉じるかするものであり、プッシュプルキャップは、キャップの先端に嵌着された先端部材を引っ張り上げて注出口を開き、突出する先端部材を押し込んで注出口を閉じるものであった。
【０００３】
【発明が解決しようとする課題】
しかしながら、上述のスナップヒンジキャップは、キャップの側面にどうしてもスナップヒンジ機構部分が突起し、この突起するスナップヒンジ機構部分により、充填工程、キャッピング工程やシュリンク工程いおいて、トラブルを発生することがあった。また、プッシュプルキャップは、構造上、注出口部が覆われていないため、注出口部にゴミなどが流通又は保管時に付着し易い問題や、内容物が注出口部に付着して乾き開口操作が難しくなることがあった。
【０００４】
本発明は、上述の従来のキャップの問題を解決したものであり、キャップの外周に突起部分がなく、開閉をワンタッチ操作で行え、流通又は保管時に注出口にゴミなどが付着しない小蓋付キャップを提供するものである。
【０００５】
【課題を解決するための手段】
すなわち、本発明は、キャップ本体の上方に中栓キャップが上下方向に摺動可能に係着し、この中栓キャップの上方に前記キャップ本体と上端及び下端にヒンジをもつ接続板を介して接続する小蓋が開閉可能に冠着するプラスチック製の小蓋付キャップであって、前記キャップ本体は、天板上面の中央部に封止凸部を立設し、この封止凸部より外側の天板に流出孔を設け、この流出孔の外側隣接位置の天板上面に先端に係止摺動部をもつ摺接リングを立設し、この摺接リングより外側の天板下面に容器と係合する係合リングを垂設し、周壁外周の一側に前記接続板を下端のヒンジを介して接続し、前記中栓キャップは、天板の中央部に前記キャップ本体の封止凸部と対応する位置に注出口を設け、天板下面の前記キャップ本体の流出孔と対応する位置に封止摺動部を下端にもつ摺動リングを垂設し、周壁の一側に回転板収容凹部を設け、この回転板収容凹部の左右側面に対向する軸受け凹部をそれぞれに設け、この軸受け凹部の上方に小蓋を仮係止する嵌合突起を設け、前記小蓋は、天板下面の中央部に前記中栓キャップの注出口を封止する封止リングを設け、天板下面の周縁部の一側に下端の左右両側に前記前記中栓キャップの軸受け凹部に枢着する回転軸凸部をもつ回転軸板を垂設し、この回転軸板の後方の天板外周に前記接続板を上端のヒンジを介して接続したことを特徴とする小蓋付キャップである。
【０００６】
【作用】
本発明の小蓋付キャップは、内容物を注出するときには、中栓キャップの周壁両側を指で摘んで中栓キャップを上方へ移動させると、キャップ本体の天板に設けられた流入孔を封止していた中栓キャップの摺接リングの下端の封止摺動部が上方へ移動して流出孔が開口し、また、キャップ本体の天板中央部に設けられた封止凸部で封止されていた中栓キャップの天板中央部の注出口が開口する。同時に、キャップ本体と上下両端にヒンジをもつ接続板で接続し中栓キャップに冠着する小蓋が、中栓キャップの周壁の回転軸板収容凹部の左右側面に設けられた軸受け凹部に枢着する小蓋の回転軸板の下端の左右両側の設けられた回転軸凸部を回転軸として回転軸板が後方へ回転し小蓋が中栓キャップから開らく。また、キャップを封止するときには、開いている小蓋を中栓キャップに冠着するように押圧すると、中栓キャップも小蓋の前方へ回転する回転板により押圧されて下降して、キャップ本体の流出孔が中栓キャップの封止摺動部で封止され、中栓キャップの注出口がキャップ本体の封止凸部で封止されて、キャップ全体が封止する。上述のように、キャップの開閉が、ワンタッチ操作で行える。
【０００７】
また、本発明の小蓋付キャップは、キャップ本体と小蓋を接続する上下両端にヒンジをもつ接続板が平坦であり、キャップの外周に突起部分がなく、充填工程、キャッピング工程やシュリンク工程いおいて、トラブルを発生しない。
【０００８】
また、注出口が設けられた中栓キャップは、キャップが封止されたときには、小蓋が冠着しており、注出口にゴミなどが流通又は保管時に付着しない。
【０００９】
【発明の実施の形態】
本発明の小蓋付キャップを一実施形態に基づいて、その構造及び開閉機構について、次に、図を用いて詳細に説明する。
【００１０】
本発明の一実施形態の小蓋付キャップ（１０）は、図４に示すように、キャップ本体（１００）の上方に中栓キャップ（２００）が上下方向に摺動可能に係着し、この中栓キャップの上方にキャップ本体と上端及び下端にヒンジをもつ接続板（４００）を介して接続する小蓋（３００）が開閉可能に冠着するプラスチック製の小蓋付キャップ（１０）である。キャップ本体と小蓋は、ポリプロピレンなどの熱可塑性樹脂を用いて射出成形により一体に作製するものであり、中栓キャップは、ポリプロピレン、ポリエチレンなどの熱可塑性樹脂を用いて射出成形により作製するものである。
【００１１】
上述のキャップ本体（１００）の構造は、図１に示すように、天板（１１０）上面の中央部に封止凸部（１３０）を立設し、この封止凸部より外側の天板に流出孔（１１１）を設け、この流出孔の外側隣接位置の天板上面に先端に係止摺動部（１４１）をもつ摺接リング（１４０）を立設し、この摺接リングより外側の天板下面に、容器と咬合する内側方向の係合部（１５１）を下端にもつ係合リング（１５０）を垂設し、周壁（１２０）外周の一側に接続板（４００）を下端のヒンジ（４０１）を介して接続するものである。なお、係合リングに設ける係合部は、螺合によるものでもよい。
【００１２】
また、中栓キャップ（２００）の構造は、図１に示すように、中栓キャップ（２００）は、天板（２１０）の中央部にキャップ本体の封止凸部（１３０）と対応する位置に注出口（２１１）を設け、天板下面のキャップ本体の流出孔（１１１）と対応する位置に封止摺動部（２４１）を下端にもつ摺動リング（２４０）を垂設し、図４に示すように、周壁の後方の一側に回転板収容凹部（２３０）を設け、図２に示すように、この回転板収容凹部（２３０）の左右側面に対向する軸受け凹部（２３１）をそれぞれに設け、この軸受け凹部の上方に小蓋の回転板（３３０）の上面を仮係止する嵌合突起（２３２）を設けるものである。
【００１３】
そして、小蓋（３００）の構造は、図１に示すように、天板（３１０）下面の中央部に中栓キャップの注出口（２１１）を封止する封止リング（３１１）（中栓キャップの天板の注出口の外周縁部に密接して封止）を設け、図１及び図２に示すように、天板（３１０）下面の後方周縁部の一側に下端の左右両側に中栓キャップ（２００）の軸受け凹部（２３１）に枢着する回転軸凸部（３３１）をもつ回転軸板（３３０）を垂設し、図１及び図４に示すように、この回転軸板（３３０）の後方の天板（３１０）外周に接続板（４００）を上端のヒンジ（４０２）を介して接続するものである。
【００１４】
次に、本発明の小蓋付キャップの開閉機構について説明する。
図１に示す本発明の小蓋付キャップ（１０）を口頸部（２１）に装着した容器（２０）を開封するときは、図３に示すように、中栓キャップ（２００）の周壁（２２０）の両側を指で摘んで中栓キャップを上方へ移動させると、キャップ本体（１００）の天板（１１０）に設けられた流入孔（１１１）を封止していた中栓キャップの摺接リング（２４０）の下端の封止摺動部（２４１）が上方へ移動して流出孔（１１１）が開口し、また、キャップ本体の天板の中央部に設けられた封止凸部（１３０）で封止されていた中栓キャップの天板の中央部の注出口（２１１）が開口する。同時に、キャップ本体と上下両端にヒンジ（４０２，４０１）をもつ接続板（４００）で接続し中栓キャップに冠着する小蓋（３００）が、中栓キャップの周壁（２２０）の図４に示す回転軸板収容凹部（２３０）の左右側面に設けられた図２に示す軸受け凹部（２３１）に枢着する小蓋の回転軸板（３３０）の下端の左右両側の設けられた回転軸凸部（３３１）を回転軸として，図３に示すように、回転軸板（３３０）が後方へ回転し小蓋（３００）が中栓キャップ（２００）から開らく。そして、さらに、図３の２点鎖線で示すように、小蓋（３００）を指で垂直状態に開くと、接続板（３００）は外側に湾曲して負勢状態となり、小蓋の回転軸板（３３０）の上面が中栓キャップ（２００）の回転軸板収容凹部（２３０）の側面に設けられた図２に示す嵌合突起（２３２）に嵌入して仮係止され、自然に小蓋が閉じることがない。なお、中栓キャップ（２００）は、図３に示すように、摺接リング（２４０）の下端の封止摺動部（２４１）がキャップ本体（１００）の摺接リング（１４０）の上端の係止摺動部（１４１）に係合するため、キャップ本体から抜けることはない。
【００１５】
そして、容器を封止するときには、開いている小蓋の先端を指で前方へ倒すと小蓋の回転軸板の上面が中栓キャップの回転軸板収容凹部の側面に設けられた嵌合突起から外れ、さらに、前方へ押し倒すと小蓋の回転軸に押されて中栓キャップが下降し、小蓋を中栓キャップに冠着したときには、図１に示すように、キャップ本体（１００）の流出孔（１１１）が中栓キャップ（２００）の摺接リング（２４０）の下端の封止摺動部（２４１）により封止され、中栓キャップの注出口（２１１）はキャップ本体の封止凸部（１３０）で封止され、さらに、注出口は、その外周縁部に小蓋の封止リング（３１１）が密接して二重封止する。なお、小蓋の閉じ開始時には、負勢状態で湾曲だった接続板が延び、この弾性力が小蓋を閉じに助力する。
【００１６】
【発明の効果】
本発明の小蓋付キャップは、中栓キャップの周壁両側を指で摘んで中栓キャップを上方へ移動させると、小蓋が開き注出口が開口し、小蓋を垂直に立てると仮係止され、自然には小蓋が閉じることがない。また、開いている小蓋を中栓キャップに冠着するように押圧すると、中栓キャップも下降してキャップ本体の流出孔が封止され、中栓キャップの注出口も封止される。このキャップの開閉は、ワンタッチ操作で行える。
【００１７】
また、本発明の小蓋付キャップは、キャップの外周に突起部分がなく、充填工程、キャッピング工程やシュリンク工程いおいてトラブルを発生しない。
【００１８】
また、注出口が小蓋で覆われるので、流通又は保管時に、注出口にゴミなどが付着しない。
【図面の簡単な説明】
【図１】容器に取り付けた本発明の小蓋付キャップの一実施形態の構造を示す説明図である。
【図２】中栓キャップの回転軸板収容凹部と小蓋の回転軸板との枢着部分の構造を示す斜視図である。
【図３】容器に取り付けた本発明の小蓋付キャップの小蓋を開いたときの構造を示す説明図である。
【図４】容器に取り付けた本発明の小蓋付キャップの小蓋を開いたときの斜視図である。
【符号の説明】
１０……小蓋付キャップ
２０……容器
２１……口頸部
２３，１５１……係合部
１００……キャップ本体
１１０，２１０，３１０……天板
１１１……流出孔
１２０，２２０，３２０……周壁
１３０……封止凸部
１４０，２４０……摺接リング
１４１……係止摺動部
１５０……係合リング
２００……中栓キャップ
２１１……注出口
２３０……回転軸板収容凹部
２３１……軸受け凹部
２３２……嵌合突起
２３３……受け台突部
２４１……封止摺動部
３００……小蓋
３１１……封止リング
３３０……回転軸板
３３１……回転軸凸部
４００……接続板
４０１，４０２……ヒンジ
【図１】
0004253893.tif 000002
【図２】
0004253893.tif 000003
【図３】
0004253893.tif 000004
【図４】
0004253893.tif 000005